(57)【特許請求の範囲】
【請求項１】
処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、
前記信号処理手段からの前記グラフ表示信号を入力することにより、表示画面（３１ａ）上に前記グラフを表示する表示手段（３１）と、
前記処理パラメータを記憶しているパラメータデータテーブル（４４）と、
前記パラメータデータテーブルから少なくとも１つの処理パラメータを読み出して、前記処理パラメータ設定部に出力する制御手段（５０、５０Ａ）と、を備えた信号処理装置（１、１Ａ）であって、
前記表示画面に対応して設けられ、スライドタッチの操作を含むタッチ操作に伴う位置情報を出力するタッチセンサを有するタッチパネル（３２）をさらに備え、
前記表示手段は、前記横軸の方向及び前記縦軸の方向のいずれか一方の方向に長手方向を有し互いに平行な複数の選択領域を表示するものであって、前記グラフの前記横軸の設定を行う場合には前記各選択領域の長手方向が前記横軸の方向になるよう表示し、前記グラフの前記縦軸の設定を行う場合には前記各選択領域の長手方向が前記縦軸の方向になるよう表示するものであり、
前記位置情報は、前記各選択領域における前記スライドタッチの方向を示す情報を含み、
前記パラメータデータテーブルは、前記位置情報ごとに対応する分解能が異なる複数の処理パラメータを記憶しており、
前記制御手段は、
前記タッチパネルから、所定の前記位置情報が入力されたことを条件として、該位置情報に対応する分解能が異なる処理パラメータを前記パラメータデータテーブルより読み出し、前記処理パラメータ設定部に出力する処理パラメータ出力部（５４）を備えていることを特徴とする信号処理装置。
【請求項２】
前記処理パラメータ設定部は、前記グラフの中心周波数を設定するための中心周波数設定部（２２）と、前記グラフの周波数スパンを設定するための周波数スパン設定部（２３）と、前記グラフの振幅レベルを設定するための振幅レベル設定部（２５）と、前記入力信号の測定時間を設定するための測定時間設定部（２６）の、少なくともいずれか１つを含み、
前記パラメータデータテーブルは、前記処理パラメータ設定部に含まれる前記中心周波数設定部と前記周波数スパン設定部と前記振幅レベル設定部または前記測定時間設定部に対応して記憶されている処理パラメータとして、中心周波数を変更する分解能が異なる複数の中心周波数変更値、周波数スパンを変更する分解能が異なる複数の周波数スパン変更値、振幅レベルを変更する分解能が異なる複数の振幅レベル変更値、または測定時間を変更する分解能が異なる複数の測定時間変更値を記憶していることを特徴とする請求項１に記載の信号処理装置。
【請求項３】
前記制御手段の処理パラメータ出力部は、前記位置情報に対応する処理パラメータとして、１つの前記中心周波数変更値、１つの前記周波数スパン変更値、１つの前記振幅レベル変更値、または１つの前記測定時間変更値を前記パラメータデータテーブルより読み出し、前記位置情報に含まれるスライドタッチの方向に対応して前記中心周波数変更値、前記周波数スパン変更値、前記振幅レベル変更値、または前記測定時間変更値を現行設定値に対してプラスするかまたはマイナスするように、前記処理パラメータ設定部の対応する前記中心周波数設定部、前記周波数スパン設定部、前記振幅レベル設定部、または前記測定時間設定部に出力するようになっていることを特徴とする請求項２に記載の信号処理装置。
【請求項４】
前記制御手段は、
前記タッチパネルから所定の前記位置情報が入力されたことを条件として、表示画像データテーブル（４３、４３Ａ）から前記位置情報に対応する分析メニュー選択画像（ｃ、ｄ、ｅ、ｆ）のデータを読み出して、前記表示画面に前記分析メニュー選択画像を表示させるように出力する分析メニュー選択画像出力部（５３、５３Ａ）と、
前記表示画面に前記分析メニュー選択画像が表示されている状態で、前記タッチパネルから、いずれか１つのパラメータ設定項目に対応した前記位置情報が入力されたことを条件として、前記処理パラメータ出力部の動作へ復帰させる分岐処理部（５５）と、
前記表示画面に前記分析メニュー選択画像が表示されている状態で、前記タッチパネルから所定の前記位置情報が入力されたことを条件として、前記表示画面に表示されている前記分析メニュー選択画像を消去する分析メニュー選択画像消去部（５６）と、をさらに備えていることを特徴とする請求項１乃至３のいずれか１に記載の信号処理装置。
【請求項５】
処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、
前記信号処理手段からの前記グラフ表示信号を入力することにより、表示画面（３１ａ）上に前記グラフを表示する表示手段（３１）と、
前記処理パラメータを記憶しているパラメータデータテーブル（４４）と、
前記パラメータデータテーブルから少なくとも１つの処理パラメータを読み出して、前記処理パラメータ設定部に出力する制御手段（５０、５０Ａ）と、を備えた信号処理装置（１、１Ａ）であって、
前記表示画面に対応して設けられ、タッチ操作に伴う位置情報を出力するタッチセンサを有するタッチパネル（３２）をさらに備え、
前記パラメータデータテーブルは、前記位置情報ごとに対応する分解能が異なる複数の処理パラメータを記憶しており、
前記制御手段は、
前記タッチパネルから、所定の前記位置情報が入力されたことを条件として、該位置情報に対応する分解能が異なる処理パラメータを前記パラメータデータテーブルより読み出し、前記処理パラメータ設定部に出力する処理パラメータ出力部（５４）と、
前記タッチパネルから所定の前記位置情報が入力されたことを条件として、表示画像データテーブル（４３、４３Ａ）から前記位置情報に対応する分析メニュー選択画像（ｃ、ｄ、ｅ、ｆ）のデータを読み出して、前記表示画面に前記分析メニュー選択画像を表示させるように出力する分析メニュー選択画像出力部（５３、５３Ａ）と、
前記表示画面に前記分析メニュー選択画像が表示されている状態で、前記タッチパネルから、いずれか１つのパラメータ設定項目に対応した前記位置情報が入力されたことを条件として、前記処理パラメータ出力部の動作へ復帰させる分岐処理部（５５）と、
前記表示画面に前記分析メニュー選択画像が表示されている状態で、前記タッチパネルから所定の前記位置情報が入力されたことを条件として、前記表示画面に表示されている前記分析メニュー選択画像を消去する分析メニュー選択画像消去部（５６）と、を備え、
前記処理パラメータ設定部は、
少なくとも前記グラフの中心周波数を設定するための中心周波数設定部（２２）、前記グラフの周波数スパンを設定するための周波数スパン設定部（２３）、前記グラフの振幅レベルを設定するための振幅レベル設定部（２５）、および前記入力信号の測定時間を設定するための測定時間設定部（２６）のうちの複数の設定部を含んでおり、
前記表示画像データテーブルは、
前記処理パラメータ設定部に含まれる前記複数の設定部に対応する複数の分析メニュー選択画像を記憶しているとともに、いずれか１つの分析メニュー選択画像を選択する表示態様選択画像（ｂ）のデータを記憶しており、
前記制御手段は、
前記タッチパネルから所定の前記位置情報が入力されたことを条件として、前記表示画像データテーブルから前記表示態様選択画像を読み出して、前記表示画面に表示される前記グラフよりも表面側のレイヤーに表示させるように出力するとともに、前記分析メニュー選択画像を表示させる際には、前記表示態様選択画像を消去させる表示態様選択画像出力部（５２）をさらに備え、
前記分析メニュー選択画像出力部は、前記タッチパネルから、前記表示態様選択画像中の複数の選択ボタン（ｂ１、ｂ２、ｂ３、ｂ４）のいずれか１つを選択するタッチ操作に対応した前記位置情報が入力されたことを条件として、前記表示画像データテーブルから前記位置情報に対応する分析メニュー選択画像を読み出して前記表示手段に出力するようになっていることを特徴とする信号処理装置。
【請求項６】
前記表示画像データテーブルは、トグルスイッチ画像（ａ）のデータを記憶しており、
前記制御手段は、前記表示画面に前記グラフが表示される際に前記表示画像データテーブルから前記トグルスイッチ画像を読み出して前記表示画面に表示させるように出力するトグルスイッチ画像出力部（５１）をさらに備え、
前記表示態様選択画像出力部は、前記タッチパネルから前記トグルスイッチ画像に対応する前記位置情報が入力されたことを条件として、前記表示画像データテーブルから前記表示態様選択画像を読み出すようになっていることを特徴とする請求項５に記載の信号処理装置。
【請求項７】
処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、
前記信号処理手段からの前記グラフ表示信号を入力することにより、表示画面（３１ａ）上に前記グラフを表示する表示手段（３１）と、
前記処理パラメータを記憶しているパラメータデータテーブル（４４）と、
前記パラメータデータテーブルから少なくとも１つの処理パラメータを読み出して、前記処理パラメータ設定部に出力する制御手段（５０、５０Ａ）と、を備えた信号処理装置（１、１Ａ）を用いた信号処理方法であって、
前記信号処理装置は、前記表示画面に対応して設けられ、スライドタッチの操作を含むタッチ操作に伴う位置情報を出力するタッチセンサを有するタッチパネル（３２）をさらに備え、
前記表示手段は、前記横軸の方向及び前記縦軸の方向のいずれか一方の方向に長手方向を有し互いに平行な複数の選択領域を表示するものであって、前記グラフの前記横軸の設定を行う場合には前記各選択領域の長手方向が前記横軸の方向になるよう表示し、前記グラフの前記縦軸の設定を行う場合には前記各選択領域の長手方向が前記縦軸の方向になるよう表示するものであり、
前記位置情報は、前記各選択領域における前記スライドタッチの方向を示す情報を含み、
前記パラメータデータテーブルは、前記位置情報ごとに対応する分解能が異なる複数の処理パラメータを記憶しており、
前記制御手段は、
前記タッチパネルから、所定の前記位置情報が入力されたことを条件として、該位置情報に対応する分解能が異なる処理パラメータを前記パラメータデータテーブルより読み出し、前記処理パラメータ設定部に出力するステップ（Ｓ１０、Ｓ２６）を実行することを特徴とする信号処理方法。
【請求項８】
前記タッチパネルより、タッチ操作に伴う所定の前記位置情報が入力されたことを条件として、前記表示画面に分解能が異なる複数のパラメータ設定項目を含む分析メニュー選択画像（ｃ、ｄ、ｅ、ｆ、ｇ）を表示するステップ（Ｓ０２、Ｓ２２）と、
前記表示画面に前記分析メニュー選択画像が表示されている状態で、前記タッチパネルから、所定の前記位置情報が入力されたことを条件として、処理パラメータ出力部（５４）への動作復帰または分析メニュー選択画像消去部（５６）への動作移行を判断する分岐ステップ（Ｓ１１、Ｓ１２、Ｓ２７、Ｓ２８）と、
前記表示画面に前記分析メニュー選択画像が表示されている状態で、前記タッチパネルから所定の前記位置情報が入力されたことを条件として、前記表示画面に表示されている前記分析メニュー選択画像を消去するステップ（Ｓ１３、Ｓ２９）と、を含むことを特徴とする請求項７に記載の信号処理方法。
【発明の詳細な説明】
【技術分野】
【０００１】
本発明は、スペクトラムアナライザなどの信号分析装置などに適用される信号処理装置および信号処理方法に関する。
【背景技術】
【０００２】
従来、信号を分析するための信号分析装置としては、例えば、特許文献１に記載のスペクトラムアナライザが知られている。
【０００３】
特許文献１に記載のスペクトラムアナライザは、測定可能全周波数帯を複数の帯域に分割し、その帯域ごとに０Ｈｚ信号の影響を受けず、かつ適切な掃引速度が得られる周波数分解能決定ＩＦフィルタ通過帯域幅（ＲＢＷ）を決めて記憶部の領域に記憶しておき、その各分割帯域とＲＢＷの組を１つずつ読み出す構成となっている。そして、該スペクトラムアナライザは、読み出した１つの組の分割帯域とＲＢＷをスパン設定部とＲＢＷ設定部にそれぞれ設定して入力周波数を掃引、受信し、その検波出力の最大レベルとその周波数を領域に記憶し、全分割帯域について得られた最大レベル中の最大のものＬＭとその周波数ＦＭを検索し、そのＦＭを中心周波数とし、ＬＭを基準レベルとする観測周波数スパンで観測する構成となっている。この構成により、周波数未知信号モードで０Ｈｚ信号の影響を従来よりも受け難く、低い周波数の入力信号の検出をも可能としたものである。
【先行技術文献】
【特許文献】
【０００４】
【特許文献１】特開平１１−２８１６８４号公報
【発明の概要】
【発明が解決しようとする課題】
【０００５】
しかしながら、特許文献１に記載のものでは、周波数分解能（周波数量）を設定する際には、設定パネルに備えられた異なる分解能を切り換えるスイッチを操作することによって、キーエンコーダの操作で設定した分解能により連続的に可変することができるものの、分解能を変えるためにはスイッチの操作をする必要があるため、周波数分解能を変更しつつ、周波数を設定する際の操作が煩雑であるという問題があった。
【０００６】
本発明は、上述のような課題に鑑みてなされたものであり、周波数分解能の設定のための操作を表示画面上に一元的に集約することができ、表示されるグラフを見る目線で指先タッチによる異なる分解能への変更およびそれによるグラフの表示態様の変更操作を迅速に繰り返して行うことができる信号処理装置および信号処理方法を提供することを目的とする。
【課題を解決するための手段】
【０００７】
本発明の請求項１に係る信号処理装置（１、１Ａ）は、処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、前記信号処理手段からの前記グラフ表示信号を入力することにより、表示画面（３１ａ）上に前記グラフを表示する表示手段（３１）と、前記処理パラメータを記憶しているパラメータデータテーブル（４４）と、前記パラメータデータテーブルから少なくとも１つの処理パラメータを読み出して、前記処理パラメータ設定部に出力する制御手段（５０、５０Ａ）と、を備えた信号処理装置（１、１Ａ）であって、前記表示画面に対応して設けられ、スライドタッチの操作を含むタッチ操作に伴う位置情報を出力するタッチセンサを有するタッチパネル（３２）をさらに備え、前記表示手段は、前記横軸の方向及び前記縦軸の方向のいずれか一方の方向に長手方向を有し互いに平行な複数の選択領域を表示するものであって、前記グラフの前記横軸の設定を行う場合には前記各選択領域の長手方向が前記横軸の方向になるよう表示し、前記グラフの前記縦軸の設定を行う場合には前記各選択領域の長手方向が前記縦軸の方向になるよう表示するものであり、前記位置情報は、前記各選択領域における前記スライドタッチの方向を示す情報を含み、前記パラメータデータテーブルは、前記位置情報ごとに対応する分解能が異なる複数の処理パラメータを記憶しており、前記制御手段は、前記タッチパネルから、所定の前記位置情報が入力されたことを条件として、該位置情報に対応する分解能が異なる処理パラメータを前記パラメータデータテーブルより読み出し、前記処理パラメータ設定部に出力する処理パラメータ出力部（５４）を備えている構成である。
【０００８】
この構成により、本発明の請求項１に係る信号処理装置によれば、表示手段の表示画面上に設けられたタッチパネルからの位置情報に応じて、信号処理手段の処理パラメータ設定部に入力する処理パラメータを段階的に取得できるようになるので、分解能を簡単なタッチ操作のみによって切り換えられるようになる。
【０００９】
したがって、本発明の請求項１に係る信号処理装置によれば、周波数分解能の設定のための操作を表示画面上に一元的に集約することができ、表示されるグラフを見る目線で指先タッチによる異なる分解能への変更およびそれによるグラフの表示態様の変更操作を迅速に繰り返し行うことができ、また、分解能の切り換えが表示画面に集中した状態で行えるため、操作者の負担を軽減できる。
【００１０】
本発明の請求項１に係る信号処理装置によれば、従来のような設定パネル上のキーエンコーダなどの煩雑な操作を行うことなしに、グラフの表示を変更させることができる。
【００１１】
本発明の請求項２に係る信号処理装置において、前記処理パラメータ設定部は、前記グラフの中心周波数を設定するための中心周波数設定部（２２）と、前記グラフの周波数スパンを設定するための周波数スパン設定部（２３）と、前記グラフの振幅レベルを設定するための振幅レベル設定部（２５）と、前記入力信号の測定時間を設定するための測定時間設定部（２６）の、少なくともいずれか１つを含み、前記パラメータデータテーブルは、前記処理パラメータ設定部に含まれる前記中心周波数設定部と前記周波数スパン設定部と前記振幅レベル設定部または前記測定時間設定部に対応して記憶されている処理パラメータとして、中心周波数を変更する分解能が異なる複数の中心周波数変更値、周波数スパンを変更する分解能が異なる複数の周波数スパン変更値、振幅レベルを変更する分解能が異なる複数の振幅レベル変更値、または測定時間を変更する分解能が異なる複数の測定時間変更値を記憶している構成とするのがよい。
【００１２】
この構成により、本発明の請求項２に係る信号処理装置によれば、中心周波数、周波数スパン、振幅レベルまたは測定時間の変更を迅速かつ自由に行うことができる。
【００１３】
本発明の請求項３に係る信号処理装置において、前記位置情報に対応する処理パラメータとして、１つの前記中心周波数変更値、１つの前記周波数スパン変更値、１つの前記振幅レベル変更値、または１つの前記測定時間変更値を前記パラメータデータテーブルより読み出し、前記位置情報に含まれるスライドタッチの方向に対応して前記中心周波数変更値、前記周波数スパン変更値、前記振幅レベル変更値、または前記測定時間変更値を現行設定値に対してプラスするかまたはマイナスするように、前記処理パラメータ設定部の対応する前記中心周波数設定部、前記周波数スパン設定部、前記振幅レベル設定部、または前記測定時間設定部に出力するようになっている構成とするのがよい。
【００１４】
この構成により、本発明の請求項３に係る信号処理装置によれば、スライドタッチの方向を変えることで、中心周波数、周波数スパン、振幅レベルまたは測定時間の変更を迅速かつ自由に行うことができる。
【００１５】
本発明の請求項４に係る信号処理装置において、前記制御手段は、前記タッチパネルから所定の前記位置情報が入力されたことを条件として、表示画像データテーブル（４３、４３Ａ）から前記位置情報に対応する分析メニュー選択画像（ｃ、ｄ、ｅ、ｆ）のデータを読み出して、前記表示画面に前記分析メニュー選択画像を表示させるように出力する分析メニュー選択画像出力部（５３、５３Ａ）と、前記表示画面に前記分析メニュー選択画像が表示されている状態で、前記タッチパネルから、いずれか１つのパラメータ設定項目に対応した前記位置情報が入力されたことを条件として、前記処理パラメータ出力部の動作へ復帰させる分岐処理部（５５）と、前記表示画面に前記分析メニュー選択画像が表示されている状態で、前記タッチパネルから所定の前記位置情報が入力されたことを条件として、前記表示画面に表示されている前記分析メニュー選択画像を消去する分析メニュー選択画像消去部（５６）と、をさらに備えている構成とするのがよい。
【００１６】
この構成により、本発明の請求項４に係る信号処理装置によれば、分析メニュー選択画像出力部は、タッチパネルから所定の位置情報が入力されると、表示画像データテーブルから位置情報に対応する分析メニュー選択画像のデータを読み出して表示画面に分析メニュー選択画像を表示させるように出力する。そして、分岐処理部（５５）は、分析メニュー選択画像が表示されている状態で、タッチパネルから、いずれか１つの前記パラメータ設定項目に対応した位置情報が続けて入力された場合には、処理パラメータ出力部の動作へ復帰させる。続いて、分析メニュー選択画像消去部（５６）は、表示画面に分析メニュー選択画像が表示されている状態で、タッチパネルから所定の位置情報が入力されると、表示画面に表示されている分析メニュー選択画像を消去する。
【００１７】
したがって、本発明の請求項４に係る信号処理装置によれば、タッチパネルをタッチすることで表示画面に分解能が異なる複数のパラメータ設定項目を含む分析メニュー選択画像（ｃ、ｄ、ｅ、ｆ、ｇ）を表示させることができ、さらに所望のパラメータ設定項目を選択するようにタッチパネルをタッチすることを繰り返すことにより、処理パラメータ出力部へ処理パラメータを繰り返し出力することができ、所望のグラフ表示を実行することができる。そして、所望のグラフ表示が行われた時点で、タッチパネルの所要位置をタッチすることで分析メニュー選択画像を消去することができる。こうして、位置情報を入力することで、中心周波数、周波数スパン、振幅レベルまたは測定時間を変更するための処理パラメータを処理パラメータ設定部に設定して所望のグラフ表示を実行することができ、分解能の切り換えが表示画面に集中した状態で行えるため、周波数分解能の設定のための操作を表示画面上に一元的に集約させることができ、操作者の負担を軽減できる。
【００１８】
本発明の請求項５に係る信号処理装置において、処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、前記信号処理手段からの前記グラフ表示信号を入力することにより、表示画面（３１ａ）上に前記グラフを表示する表示手段（３１）と、前記処理パラメータを記憶しているパラメータデータテーブル（４４）と、前記パラメータデータテーブルから少なくとも１つの処理パラメータを読み出して、前記処理パラメータ設定部に出力する制御手段（５０、５０Ａ）と、を備えた信号処理装置（１、１Ａ）であって、前記表示画面に対応して設けられ、タッチ操作に伴う位置情報を出力するタッチセンサを有するタッチパネル（３２）をさらに備え、前記パラメータデータテーブルは、前記位置情報ごとに対応する分解能が異なる複数の処理パラメータを記憶しており、前記制御手段は、前記タッチパネルから、所定の前記位置情報が入力されたことを条件として、該位置情報に対応する分解能が異なる処理パラメータを前記パラメータデータテーブルより読み出し、前記処理パラメータ設定部に出力する処理パラメータ出力部（５４）と、前記タッチパネルから所定の前記位置情報が入力されたことを条件として、表示画像データテーブル（４３、４３Ａ）から前記位置情報に対応する分析メニュー選択画像（ｃ、ｄ、ｅ、ｆ）のデータを読み出して、前記表示画面に前記分析メニュー選択画像を表示させるように出力する分析メニュー選択画像出力部（５３、５３Ａ）と、前記表示画面に前記分析メニュー選択画像が表示されている状態で、前記タッチパネルから、いずれか１つのパラメータ設定項目に対応した前記位置情報が入力されたことを条件として、前記処理パラメータ出力部の動作へ復帰させる分岐処理部（５５）と、前記表示画面に前記分析メニュー選択画像が表示されている状態で、前記タッチパネルから所定の前記位置情報が入力されたことを条件として、前記表示画面に表示されている前記分析メニュー選択画像を消去する分析メニュー選択画像消去部（５６）と、を備え、前記処理パラメータ設定部は、少なくとも前記グラフの中心周波数を設定するための中心周波数設定部（２２）、前記グラフの周波数スパンを設定するための周波数スパン設定部（２３）、前記グラフの振幅レベルを設定するための振幅レベル設定部（２５）、および前記入力信号の測定時間を設定するための測定時間設定部（２６）のうちの複数の設定部を含んでおり、前記表示画像データテーブルは、前記処理パラメータ設定部に含まれる前記複数の設定部に対応する複数の分析メニュー選択画像を記憶しているとともに、いずれか１つの分析メニュー選択画像を選択する表示態様選択画像（ｂ）のデータを記憶しており、前記制御手段は、前記タッチパネルから所定の前記位置情報が入力されたことを条件として、前記表示画像データテーブルから前記表示態様選択画像を読み出して、前記表示画面に表示される前記グラフよりも表面側のレイヤーに表示させるように出力するとともに、前記分���メニュー選択画像を表示させる際には、前記表示態様選択画像を消去させる表示態様選択画像出力部（５２）をさらに備え、前記分析メニュー選択画像出力部は、前記タッチパネルから、前記表示態様選択画像中の複数の選択ボタン（ｂ１、ｂ２、ｂ３、ｂ４）のいずれか１つを選択するタッチ操作に対応した前記位置情報が入力されたことを条件として、前記表示画像データテーブルから前記位置情報に対応する分析メニュー選択画像を読み出して前記表示手段に出力するようになっている構成とするのがよい。
【００１９】
この構成により、本発明の請求項５に係る信号処理装置によれば、表示態様選択画像を表示することを介して複数の分析メニュー選択画像のうちの所望の１つを選択し、表示することができ、各１つの分析メニュー選択画像に含まれる操作スイッチを大きくすることができ、高い操作性を有する。
【００２０】
本発明の請求項６に係る信号処理装置において、前記表示画像データテーブルは、トグルスイッチ画像（ａ）のデータを記憶しており、前記制御手段は、前記表示画面に前記グラフが表示される際に前記表示画像データテーブルから前記トグルスイッチ画像を読み出して前記表示画面に表示させるように出力するトグルスイッチ画像出力部（５１）をさらに備え、前記表示態様選択画像出力部は、前記タッチパネルから前記トグルスイッチ画像に対応する前記位置情報が入力されたことを条件として、前記表示画像データテーブルから前記表示態様選択画像を読み出すようになっている構成とするのがよい。
【００２１】
この構成により、本発明の請求項６に係る信号処理装置によれば、トグルスイッチ画像をタッチすることにより表示態様選択画像を表示させることができ、表示態様選択画像を介して複数の分析メニュー選択画像のうちの所望の１つを選択し、表示することができ、各１つの分析メニュー選択画像に含まれる操作スイッチを大きくすることができ、高い操作性を有する。
【００２２】
本発明の請求項７に係る信号処理方法は、処理パラメータ設定部（２１）を有し、入力信号（Ｓ）に対して、前記処理パラメータ設定部に設定された処理パラメータに応じて所定の処理を施すことにより、横軸が周波数、縦軸が振幅レベルであるグラフ（α）を表示させるためのグラフ表示信号を出力する信号処理手段（１０）と、前記信号処理手段からの前記グラフ表示信号を入力することにより、表示画面（３１ａ）上に前記グラフを表示する表示手段（３１）と、前記処理パラメータを記憶しているパラメータデータテーブル（４４）と、前記パラメータデータテーブルから少なくとも１つの処理パラメータを読み出して、前記処理パラメータ設定部に出力する制御手段（５０、５０Ａ）と、を備えた信号処理装置（１、１Ａ）を用いた信号処理方法であって、前記信号処理装置は、前記表示画面に対応して設けられ、スライドタッチの操作を含むタッチ操作に伴う位置情報を出力するタッチセンサを有するタッチパネル（３２）をさらに備え、前記表示手段は、前記横軸の方向及び前記縦軸の方向のいずれか一方の方向に長手方向を有し互いに平行な複数の選択領域を表示するものであって、前記グラフの前記横軸の設定を行う場合には前記各選択領域の長手方向が前記横軸の方向になるよう表示し、前記グラフの前記縦軸の設定を行う場合には前記各選択領域の長手方向が前記縦軸の方向になるよう表示するものであり、前記位置情報は、前記各選択領域における前記スライドタッチの方向を示す情報を含み、前記パラメータデータテーブルは、前記位置情報ごとに対応する分解能が異なる複数の処理パラメータを記憶しており、前記制御手段は、前記タッチパネルから、所定の前記位置情報が入力されたことを条件として、該位置情報に対応する分解能が異なる処理パラメータを前記パラメータデータテーブルより読み出し、前記処理パラメータ設定部に出力するステップ（Ｓ１０、Ｓ２６）を実行する構成である。
【００２３】
この構成により、本発明の請求項７に係る信号処理方法によれば、周波数分解能の設定のための操作を表示画面上に一元的に集約させることができ、表示されるグラフを見る目線で指先タッチによる異なる分解能への変更およびそれによるグラフの表示態様の変更操作を迅速に繰り返し行うことができ、また、分解能の切り換えが表示画面に集中した状態で行えるため、操作者の負担を軽減できる。
【００２４】
本発明の請求項８に係る信号処理方法において、前記タッチパネルより、タッチ操作に伴う所定の前記位置情報が入力されたことを条件として、前記表示画面に分解能が異なる複数のパラメータ設定項目を含む分析メニュー選択画像（ｃ、ｄ、ｅ、ｆ、ｇ）を表示するステップ（Ｓ０２、Ｓ２２）と、前記表示画面に前記分析メニュー選択画像が表示されている状態で、前記タッチパネルから、所定の前記位置情報が入力されたことを条件として、処理パラメータ出力部（５４）への動作復帰または分析メニュー選択画像消去部（５６）への動作移行を判断する分岐ステップ（Ｓ１１、Ｓ１２、Ｓ２７、Ｓ２８）と、前記表示画面に前記分析メニュー選択画像が表示されている状態で、前記タッチパネルから所定の前記位置情報が入力されたことを条件として、前記表示画面に表示されている前記分析メニュー選択画像を消去するステップ（Ｓ１３、Ｓ２９）と、を含むことを特徴とする。
【００２５】
この構成により、本発明の請求項８に係る信号処理方法によれば、タッチパネルをタッチすることで表示画面に分解能が異なる複数のパラメータ設定項目を含む分析メニュー選択画像（ｃ、ｄ、ｅ、ｆ、ｇ）を表示させることができ、さらに所望のパラメータ設定項目を選択するようにタッチパネルをタッチすることを繰り返すことにより、処理パラメータ出力部へ処理パラメータを繰り返し出力することができる。そして、所望のグラフ表示が行われた時点で、タッチパネルをタッチすることで分析メニュー選択画像を消去することができる。こうして、位置情報を入力することで、中心周波数、周波数スパン、振幅レベルまたは測定時間を変更するための処理パラメータを処理パラメータ設定部に設定して所望のグラフ表示を実行することができ、分解能の切り換えが表示画面に集中した状態で行えるため、周波数分解能の設定のための操作を表示画面上に一元的に集約させることができ、操作者の負担を軽減できる。
【発明の効果】
【００２６】
本発明は、周波数分解能の設定のための操作を表示画面上に一元的に集約することができ、表示されるグラフを見る目線で指先タッチによる異なる分解能への変更およびそれによるグラフの表示態様の変更操作を迅速に繰り返して行うことができる信号処理装置および信号処理方法を提供することができるものである。
【図面の簡単な説明】
【００２７】
【図１】本発明の第１の実施の形態に係る信号処理装置の機能ブロック図である。
【図２】本発明の第１の実施の形態に係る信号処理装置の表示器の表示状態の遷移図である。
【図３】図２における画像と、選択ボタンの機能と、操作スイッチの機能と、位置情報との関係を示す一覧表である。
【図４】本発明の第１の実施の形態に係る信号処理装置における表示態様選択画像の表示例を示す図である。
【図５】本発明の第１の実施の形態に係る信号処理装置における第１の分析メニュー選択画像の表示例を示すもので、（ａ）は第１の分析メニュー選択画像の具体的な表示例を示す図であり、（ｂ）は第２の操作スイッチｃ２をスライドタッチ操作した際の数値表示部の表示例を示す図であり、（ｃ）は第１の操作スイッチｃ１をスライドタッチ操作した際の数値表示部の表示例を示す図である。
【図６】本発明の第１の実施の形態に係る信号処理装置における第２の分析メニュー選択画像の具体的な表示例を示す図である。
【図７】本発明の第１の実施の形態に係る信号処理装置における第３の分析メニュー選択画像の具体的な表示例を示す図である。
【図８】本発明の第１の実施の形態に係る信号処理装置における第４の分析メニュー選択画像の具体的な表示例を示す図である。
【図９】本発明の第１の実施の形態に係る信号処理装置の制御部の動作を説明するためのフローチャートである。
【図１０】本発明の第２の実施の形態に係る信号処理装置の構成を示す機能ブロック図である。
【図１１】本発明の第２の実施の形態に係る信号処理装置の表示器の表示状態の遷移図である。
【図１２】本発明の第２の実施の形態に係る信号処理装置の制御部の動作を説明するためのフローチャートである。
【発明を実施するための形態】
【００２８】
以下、本発明の実施の形態について、図面を参照して説明する。
【００２９】
〔第１の実施の形態〕
図１は、スペクトラムアナライザなどの信号分析装置に適用される信号処理装置１の機能ブロック図を示す。信号処理装置１は、被測定信号としての入力信号Ｓについて、処理パラメータに基づいて測定可能な周波数範囲（周波数帯域）を設定し、所望の周波数スペクトラム波形となる信号処理を行い、グラフ表示信号を出力する信号処理手段としての信号分析部１０と、信号分析部１０から出力されるグラフ表示信号を入力して周波数スペクトラム波形のグラフを表示する表示器３１と、表示器３１の表示画面３１ａに対応して備えられたタッチパネル３２と、信号分析部１０に対して処理パラメータを所望に変えて出力する制御を行う制御部５０と、制御部５０に接続されているＲＯＭ４１、ＲＡＭ４２、表示画像データテーブル４３およびパラメータデータテーブル４４を備えている。
【００３０】
図１に示すように、信号分析部１０は、ＡＴＴ（アッテネータ；減衰器）１１、局部発振部（local oscillator; LO）１２、ミキサ（周波数混合部）１３、ＩＦ（intermediate frequency；中間周波）フィルタ１４、ＩＦ増幅部１５、検波部１６、ＡＤＣ（アナログデジタルコンバータ）１７、データ記憶部１８、データ処理部１９、および掃引信号発生部２０を備え、これらの構成要素により、被測定信号としての入力信号Ｓを入力し、入力信号Ｓに対して処理パラメータに基づいて所望の周波数スペクトラム波形を得る信号処理を行い、グラフ表示信号を出力し、表示器３１がグラフ表示信号を入力して周波数スペクトラム波形のグラフを表示するようになっている。
【００３１】
さらに、信号分析部１０には、表示器３１に所望の周波数スペクトラム波形が表示されるようにするために、処理パラメータ設定部２１が備えられている。処理パラメータ設定部２１は、中心周波数設定部２２、周波数スパン設定部２３、ＲＢＷ（Resolution BandWidth）設定部２４、振幅レベル設定部２５、および、測定時間設定部２６を備えている。中心周波数は、表示画面の中心を何Ｈｚにするか、周波数スパンは、表示画面に表示する帯域幅を何Ｈｚにするかという表示（測定）範囲設定を指称する。
【００３２】
ＡＴＴ１１は、内部に抵抗を有し、高周波の被測定信号としての入力信号Ｓを信号分析可能な適切な信号レベル（例えば、デシベル）に減衰させ、インピーダンスを変化させない電子部品である。ＡＴＴ１１では、入力信号Ｓを測定に影響を与えない最適なミキサ入力レベルとなるように減衰させる。
【００３３】
局部発振部１２は、元の信号の周波数の値から、変換先の周波数の値の分だけ高い周波数、あるいは低い周波数の正弦波を局部発振器で発生する。局部発振部１２から発振されるローカル信号は、掃引信号発生部２０から出力される掃引信号により所定の周波数範囲にわたって掃引される。
【００３４】
ミキサ１３は、ヘテロダイン式のスペクトラムアナライザの特徴的な構成要素であり、ＡＴＴ１１で減衰された入力信号と局部発振部１２から発振されたローカル信号とを混合し、２つの信号の差の周波数成分を含む出力信号を生成して出力する。掃引動作に同期して変化する中間周波数を含む周波数信号から中間周波数信号を出力する。
【００３５】
したがって、局部発振部１２の発振周波数を測定の対象とする周波数（ＡＴＴ１１で減衰された入力信号Ｓの周波数）に合わせて調整する（測定の対象とする周波数から予め決めた分だけ離れた周波数に設定する)ことにより、測定の対象とする周波数の近傍のスペクトラムを予め決めた固定の周波数（中間周波数；ＩＦ）の近傍にコピーしたような信号を得ることができる。
【００３６】
ＩＦフィルタ１４は、この実施の形態では、アナログのバンドパスフィルタなどで構成されるＲＢＷフィルタおよび対数増幅器（ログアンプ）により構成されている。
【００３７】
ＩＦフィルタ１４は、ＲＢＷフィルタにより、ミキサ１３の出力では、測定の対象とする周波数の近傍のスペクトラムに対応するものが中間周波数を中心として現れるので、中心周波数が固定の帯域通過フィルタを通すことで、その周波数の近傍の所定の周波数範囲の信号成分を取り出すことができる。
【００３８】
ＩＦフィルタ１４は、ミキサ１３で入力信号Ｓとローカル信号とを混合させた信号がＩＦフィルタ１４の中心周波数に一致したときに、その混合された信号を出力する。測定周波数範囲は、ＩＦフィルタ１４の中心周波数と局部発振部１２から発振されるローカル信号の周波数範囲とによって決まる。
【００３９】
対数増幅器は、入力信号Ｓの対数に対応する増幅信号を出力する増幅器であり、入力信号Ｓを対数圧縮した大きなダイナミック・レンジの信号を一括して扱い易くすることにより、リニアな表示デバイスを用いてデシベルに対応した表示を行うことが可能となる。
【００４０】
ミキサ１３から出力される中間周波数信号が掃引動作に同期して変化するので、ＩＦフィルタ１４は、１掃引時間（掃引期間）内において、時間経過とともに中間周波数信号に変換された被測定信号の各周波数成分における時系列波形である信号を出力する。
【００４１】
ＩＦ増幅部１５は、振幅レベル設定部２５において処理パラメータにより設定される基準レベルによって、その利得が制御される。振幅レベル設定部２５に入力する処理パラメータを変化させると、表示器３１の表示画面３１ａ上にグラフ化されて表示されるグラフ表示信号の振幅レベルの表示値を、当該処理パラメータに応じて変化させることができる。
【００４２】
検波部１６は、ＩＦフィルタ１４で抽出された中間周波数信号を直流に変換する構成要素であり、スペクトラムアナライザでは、主として包絡線検波が用いられる。検波部１６は、ＩＦ増幅部１５から出力されたアナログの周波数スペクトラム波形における各時間軸位置のピーク値を検出し、包絡線検波された状態の最終的な周波数スペクトラム波形を得る。
【００４３】
掃引期間内に検波された信号は、掃引された周波数における時系列波形の大きさを示す。したがって、表示器３１の表示画面３１ａの横軸を周波数、縦軸を振幅レベル（デシベル）とすれば、表示画面３１ａに表示されるグラフαは周波数スペクトラム波形となる。
【００４４】
ＡＤＣ１７は、検波部１６からの周波数スペクトラム波形を示すグラフ表示信号をデジタルデータに変換し、データ記憶部１８が、このデジタルデータを蓄積する。
【００４５】
データ処理部１９は、低域通過フィルタ（高域遮断フィルタ）としてのビデオ・フィルタ、あるいはＶＢＷ（ビデオ帯域幅）フィルタであり、データ記憶部１８に蓄積されるデジタルデータに対し、信号のスペクトラムに対してではなく、検波された信号の時間変動に対するフィルタとして働くように信号処理し、入力信号Ｓの周波数ごとの強度を求め、周波数スペクトラム波形として表示できる映像信号（グラフ表示信号）を出力する。
【００４６】
掃引信号発生部２０は、測定時間設定部２６において処理パラメータにより設定される掃引時間に応じて、掃引ランプ信号の生成が制御される。
【００４７】
中心周波数設定部２２は、制御部５０からの処理パラメータに基づいて、入力信号Ｓの周波数について測定可能な全周波数帯域の中心周波数を設定するための信号を発生し、周波数スパン設定部２３に出力する。
【００４８】
周波数スパン設定部２３は、中心周波数設定部２２の中心周波数の設定に応じ、かつ制御部５０からの処理パラメータに基づいて、周波数スパンを設定するための信号、すなわち、入力信号Ｓの測定可能な全周波数帯域の中心周波数を中心とした測定可能な全周波数帯域の、下限の周波数と上限の周波数とを設定するための信号を掃引信号発生部２０とＲＢＷ設定部２４とに出力する。
【００４９】
ＲＢＷ設定部２４は、周波数スパン設定部２３で設定された周波数スパンの帯域幅に対応し、測定スペクトラムの周波数分解能を変えるためにＩＦフィルタ１４の通過帯域幅（ＲＢＷ）を設定する。
【００５０】
振幅レベル設定部２５は、制御部５０からの処理パラメータに基づいて基準レベルが設定され、ＩＦ増幅部１５の利得を設定し、表示器３１の表示画面３１ａ上にグラフ化されて表示されるグラフ表示信号の振幅レベルの表示値を、当該処理パラメータに応じて変更できる。
【００５１】
測定時間設定部２６は、制御部５０からの処理パラメータに基づいて掃引時間が設定され、その掃引時間に応じて、掃引信号発生部２０において生成される掃引ランプ信号を制御する。
【００５２】
なお、中心周波数設定部２２と周波数スパン設定部２３と振幅レベル設定部２５と測定時間設定部２６は、システムの終了時に、制御部５０から入力されている処理パラメータを保持するようになっている。また、ＲＢＷ設定部２４は、システムの終了時に、設定されているＩＦフィルタ１４の通過帯域幅を保持するようになっている。
【００５３】
表示器３１は、データ処理部１９からの映像信号を入力して、周波数ドメイン（横軸を周波数、縦軸を振幅レベル）とする周波数スペクトラム波形のグラフαを表示画面３１ａ上に表示する。表示器３１としては、例えば、液晶ディスプレイ（Liquid Crystal Display）やＥＬディスプレイ（electroluminescence display）など、筐体が板状で画面が平面になっているフラットパネルディスプレイが用いられる。
【００５４】
表示器３１は、信号分析部１０のデータ処理部１９から出力されるグラフ表示信号を入力し、入力信号Ｓの周波数軸上の強度を、横軸を周波数、縦軸を振幅レベルとしたグラフαにより表示する。
【００５５】
ＲＯＭ４１は、制御部５０がタッチパネル３２から入力される位置情報に対応して、信号分析部１０に処理パラメータを出力する制御処理を行わせるとともに、表示器３１にグラフαの表示態様を変えるための各種の画像を出力する制御処理を行わせるための、プログラムを記憶している。当該プログラムは、制御部５０の内部に形成される各種の機能ブロックが、図９のフローチャートに示す一連の処理を行うことを内容としている。
【００５６】
ＲＡＭ４２は、制御部５０の制御動作のための作業エリアとして使用され、または、例えば一時的に記憶手段として使用されるものである。
【００５７】
表示画像データテーブル４３は、図２の表示状態の遷移図に示すように、トグルスイッチ画像ａと、表示態様選択画像ｂと、４つの分析メニュー選択画像ｃ、ｄ、ｅ、ｆの、６つの画像表示用のデータを記憶している。
【００５８】
パラメータデータテーブル４４は、所望の信号分析処理を行うために、中心周波数設定部２２と周波数スパン設定部２３と振幅レベル設定部２５と測定時間設定部２６の、それぞれにおける設定に必要な処理パラメータを記憶している。
【００５９】
位置情報に対応させて、パラメータデータテーブル４４は、処理パラメータとして、中心周波数を変更する分解能が異なる複数の中心周波数変更値、周波数スパンを変更する分解能が異なる複数の周波数スパン変更値、振幅レベルを変更する分解能が異なる複数の振幅レベル変更値、および測定時間を変更するための掃引時間変更値を記憶している。
【００６０】
これにより、後述する処理パラメータ出力部５４は、位置情報と処理パラメータとの照合、および読み出しを容易に行うことができる。なお、この実施の形態では、ＲＢＷ設定部２４については、初期値が使用されるようになっており、パラメータデータテーブル４４には記憶されていないものとする。
【００６１】
中心周波数設定部２２へ出力する処理パラメータは、中心周波数の移動量を規定するものであって、後述する一覧表（図３参照）中の、位置情報Ｋ６、Ｋ８、Ｋ１０、Ｋ１２のそれぞれに対応する中心周波数の移動量の分解能がＧＨｚとＭＨｚとＫＨｚとＨｚの４段階に異なるプラス値の処理パラメータと、位置情報Ｋ７、Ｋ９、Ｋ１１、Ｋ１３のそれぞれに対応する中心周波数の移動量の分解能がＧＨｚとＭＨｚとＫＨｚとＨｚの４段階に異なるマイナス値の処理パラメータと、を含む。
【００６２】
周波数スパン設定部２３へ出力する処理パラメータは、中心周波数設定部２２で設定された中心周波数を中心とする下限側と上限側の測定可能な周波数領域を規定するものであって、後述する一覧表（図３参照）中の、位置情報Ｋ１４、Ｋ１６、Ｋ１８、Ｋ２０のそれぞれに対応する周波数領域の分解能がＧＨｚとＭＨｚとＫＨｚとＨｚの４段階に異なるプラス値の処理パラメータと、位置情報Ｋ１５、Ｋ１７、Ｋ１９、Ｋ２１のそれぞれに対応する周波数領域の分解能がＧＨｚとＭＨｚとＫＨｚとＨｚの４段階に異なるマイナス値の処理パラメータと、を含む。
【００６３】
振幅レベル設定部２５へ出力する処理パラメータは、設定された中心周波数および周波数スパンに基づいて表示されるグラフαの振幅レベルを規定するものであって、後述する一覧表（図３参照）中の、位置情報Ｋ２２、Ｋ２４、Ｋ２６のそれぞれに対応する振幅レベルの分解能が信号レベル大（例えば、１０ｄＢ）と、信号レベル中（例えば、５ｄＢ）と、信号レベル小（例えば、１ｄＢ）の３段階に異なるプラス値の処理パラメータと、位置情報Ｋ２３、Ｋ２５、Ｋ２７のそれぞれに対応する振幅レベルの分解能が信号レベル大（例えば、１０ｄＢ）と、信号レベル中（例えば、５ｄＢ）と、信号レベル小（例えば、１ｄＢ）の３段階に異なるマイナス値の処理パラメータと、を含む。
【００６４】
測定時間設定部２６へ出力する処理パラメータは、入力信号Ｓの測定時間を規定するものであって、後述する一覧表（図３参照）中の、位置情報Ｋ２８、Ｋ３０、Ｋ３２のそれぞれに対応する測定時間の延長が秒（ｓ）と、ミリ秒（ｍｓ）と、マイクロ秒（μｓ）の３段階に異なるプラス値の処理パラメータと、位置情報Ｋ２９、Ｋ３１、Ｋ３３のそれぞれに対応する測定時間の短縮が秒（ｓ）と、ミリ秒（ｍｓ）と、マイクロ秒（μｓ）の３段階に異なるマイナス値の処理パラメータと、を含む。
【００６５】
なお、図３の一覧表中、同一行の左右の位置情報を絶対値である同一値とし、一覧表中の右半分の位置情報の記憶を省略し、後述する処理パラメータ出力部５４において、プラス値とマイナス値とを付けて処理パラメータとして出力するようにしてもよい。
【００６６】
中心周波数の移動（設定）、周波数スパンの変更、振幅レベルの変更が行えるようにするには、パラメータデータテーブル４４に、中心周波数設定部２２と周波数スパン設定部２３と振幅レベル設定部２５のそれぞれに対応して、少なくとも２つの異なる分解能の処理パラメータが記憶されていればよい。
【００６７】
この実施の形態では、処理パラメータは、中心周波数設定部２２と周波数スパン設定部２３に関しては、４段階に分解能が異なる処理パラメータが用意されており、また、振幅レベル設定部２５に関しては、３段階に分解能が異なる処理パラメータが用意されている。
【００６８】
信号処理装置１は、表示器３１の表示画面３１ａに対応してタッチパネル３２を備えている。タッチパネル３２は、例えば、表示器３１の表示画面３１ａに表示された所望の表示要素を操作者が指先や静電ペンなどによりタッチ操作して指定すると、このタッチ操作を検知し、どの表示要素が指定されたかを特定し、タッチ位置に対応する位置情報を制御部５０の入力端子Ｘに出力するようになっている。
【００６９】
タッチパネル３２は、透明のパネルに、例えば１０×１０のマトリックス状に配列された透明電極による複数のスイッチが並んでおり、操作者がその面の一部を押さえると、上下２層の電極が接触することで電気回路が構成され、縦と横の位置情報を検出する仕組みである。
【００７０】
なお、タッチパネル３２は、マトリックス・スイッチに代わるものとして抵抗膜方式のスイッチや表面弾性波方式のスイッチ、静電ペンと呼ばれる専用の電子ペンが必要となる電磁誘導方式のスイッチ、電子ペンを必要としない電磁誘導方式のスイッチなどを用いることができる。
【００７１】
また、タッチパネル３２は、カバー、導電膜、ガラス基板の３層からなる積層型に限定されず、絶縁体フィルムとその下の電極層、さらに制御ＩＣを搭載する基板層から構成される投影型でもよく、さらに、「インセル」と呼ばれる、ディスプレイの内部にタッチ入力機能を内蔵するものであってもよい。
【００７２】
次に、表示器３１に表示される各種画像とタッチパネル３２の連携について、図３に示す一覧表と図２に示す表示状態の遷移図とを用いて説明する。
【００７３】
一覧表は、表示器３１に次々に表示される表示画像の名称と符号、表示画像中の選択領域（選択ボタンまたは操作スイッチ）の名称と符号、選択ボタンをタッチまたは操作スイッチを左方向もしくは上方向にスライドタッチしたときの機能Ａ、操作スイッチを右方向または下方向にスライドタッチしたときの機能Ｂ、およびタッチまたはスライドタッチによるタッチパネル３２から出力される位置情報との関係を一覧表に纏めたものである。
【００７４】
一覧表中の左列上段の「表示画像中の選択領域の名称と符号」は、遷移図に示すように、表示器３１に表示される、トグルスイッチ画像ａと、表示態様選択画像ｂと、第１の分析メニュー選択画像ｃ、第２の分析メニュー選択画像ｄ、第３の分析メニュー選択画像ｅ、および第４の分析メニュー選択画像ｆを降順に掲示したものである。
【００７５】
トグルスイッチ画像ａは、最初にかつ常時表示され、表示態様選択画像ｂが表示されない状態でタッチパネル３２と連繋する。タッチパネル３２は、該トグルスイッチ画像ａに対応してタッチされると、一覧表の機能Ａ中の対応する機能、すなわち、表示態様選択画像ｂの表示を指示するように、タッチパネル３２から一覧表中に示す位置情報Ｋ１を出力する。
【００７６】
また、前記トグルスイッチ画像ａは、第１〜第４の分析メニュー選択画像ｃ〜ｆのうちのいずれか１つが表示された状態でタッチパネル３２と連繋する。タッチパネル３２は、該トグルスイッチ画像ａに対応してタッチされると、一覧表の機能Ｂ中の対応する機能、すなわち、表示器３１に表示されている第１〜第４の分析メニュー選択画像ｃ〜ｆの表示の消去を指示するように、タッチパネル３２から一覧表中に示す位置情報Ｋ１を出力する。
【００７７】
図４は、表示態様選択画像ｂの具体的な表示例を示す。表示態様選択画像ｂは、第１〜第４の選択ボタンｂ１〜ｂ４を有し、かつタッチパネル３２と連繋している。タッチパネル３２は、第１〜第４の選択ボタンｂ１〜ｂ４のいずれか１つがタッチされると、一覧表の機能Ａ中の対応する機能を指示するように、一覧表中に示す位置情報Ｋ２〜Ｋ５のうちのいずれか１つを出力する。
【００７８】
図５は、第１の分析メニュー選択画像ｃの具体的な表示例を示す。第１の分析メニュー選択画像ｃは、中心周波数の移動量の分解能がＧＨｚとＭＨｚとＫＨｚとＨｚの４段階に異なる処理パラメータをメニュー表示した横長な第１〜第４の操作スイッチｃ１〜ｃ４を有し、かつタッチパネル３２と連繋している。
【００７９】
タッチパネル３２は、第１〜第４の操作スイッチｃ１〜ｃ４のいずれか１つの操作スイッチが左方向（一方向）にスライドタッチされると、一覧表の機能Ａ中の対応する機能を指示するように、位置情報Ｋ６、Ｋ８、Ｋ１０、Ｋ１２のうちのいずれか１つを出力する。
【００８０】
また、タッチパネル３２は、第１〜第４の操作スイッチｃ１〜ｃ４のいずれか１つの操作スイッチが右方向（他方向）にスライドタッチされると、一覧表の機能Ｂ中の対応する機能を指示するように、位置情報Ｋ７、Ｋ９、Ｋ１１、Ｋ１３のうちのいずれか１つを出力する。
【００８１】
なお、本実施の形態においては、分解能の切り換えに応じて、つまり第１〜第４の操作スイッチｃ１〜ｃ４のスライドタッチ操作に応じて、数値表示部の桁マーカの表示位置（入力対象桁）が連動して変化する。
【００８２】
より具体的には、同図（ａ）に示すように、数値表示部において、Center「３ ０００ ０００ ０００ Ｈｚ」が表示された状態において、第２の操作スイッチｃ２がスライドタッチされると、同図（ｂ）に示すように、それに連動して、該表示における下位から７桁目の「０」に桁マーカ（例えば、図示斜線枠）が表示される。同様に、同図（ａ）に示す状態において、第１の操作スイッチｃ１がスライドタッチされると、同図（ｃ）に示すように、それに連動して、該表示における下位から１０桁目の「３」に桁マーカが表示される。
【００８３】
この桁マーカの表示位置によって、操作者は、表示画面３１ａに表示されるグラフαの分解能を理解することが可能となっている。
【００８４】
因みに、上記した数値表示部の桁マーカの表示位置に関しては、後述する図６に示す第２の分析メニュー選択画像ｄの表示例、後述する図７に示す第３の分析メニュー選択画像ｅの表示例、および、後述する図８に示す第４の分析メニュー選択画像ｆの表示例においても同様である。
【００８５】
図６は、第２の分析メニュー選択画像ｄの具体的な表示例を示す。第２の分析メニュー選択画像ｄは、周波数領域の分解能がＧＨｚとＭＨｚとＫＨｚとＨｚの４段階に異なる処理パラメータをメニュー表示した横長な第１〜第４の操作スイッチｄ１〜ｄ４を有し、かつタッチパネル３２と連繋している。
【００８６】
タッチパネル３２は、第１〜第４の操作スイッチｄ１〜ｄ４のいずれか１つの操作スイッチが左方向（一方向）にスライドタッチされると、一覧表の機能Ａ中の対応する機能を指示するように、位置情報Ｋ１４、Ｋ１６、Ｋ１８、Ｋ２０のうちのいずれか１つを出力する。
【００８７】
また、タッチパネル３２は、第１〜第４の操作スイッチｄ１〜ｄ４のいずれか１つの操作スイッチが右方向（他方向）にスライドタッチされると、一覧表の機能Ｂ中の対応する機能を指示するように、位置情報Ｋ１５、Ｋ１７、Ｋ１９、Ｋ２１のうちのいずれか１つを出力する。
【００８８】
図７は、第３の分析メニュー選択画像ｅの具体的な表示例を示す。第３の分析メニュー選択画像ｅは、振幅レベルの分解能が小（例えば、１ｄＢ）と中（例えば、５ｄＢ）と大（例えば、１０ｄＢ）の３段階に異なる処理パラメータをメニュー表示した縦長な第１〜第３の操作スイッチｅ１〜ｅ３を有し、かつタッチパネル３２と連繋している。
【００８９】
タッチパネル３２は、第１〜第３の操作スイッチｅ１〜ｅ３のいずれか１つの操作スイッチが上方向（一方向）にスライドタッチされると、一覧表の機能Ａ中の対応する機能を指示するように、位置情報Ｋ２２、Ｋ２４、Ｋ２６のうちのいずれか１つを出力する。
【００９０】
また、タッチパネル３２は、第１〜第３の操作スイッチｅ１〜ｅ３のいずれか１つの操作スイッチが下方向（他方向）にスライドタッチされると、一覧表の機能Ｂ中の対応する機能を指示するように、位置情報Ｋ２３、Ｋ２５、Ｋ２７のうちのいずれか１つを出力する。
【００９１】
図８は、第４の分析メニュー選択画像ｆの具体的な表示例を示す。第４の分析メニュー選択画像ｆは、測定時間が秒（ｓ）とミリ秒（ｍｓ）とマイクロ秒（μｓ）の３段階に異なる処理パラメータをメニュー表示した横長な第１〜第３の操作スイッチｆ１〜ｆ３を有し、かつタッチパネル３２と連繋している。
【００９２】
タッチパネル３２は、第１〜第３の操作スイッチｆ１〜ｆ３のいずれか１つの操作スイッチが左方向（一方向）にスライドタッチされると、一覧表の機能Ａ中の対応する機能を指示するように、位置情報Ｋ２８、Ｋ３０、Ｋ３２のうちのいずれか１つを出力する。
【００９３】
また、タッチパネル３２は、第１〜第３の操作スイッチｆ１〜ｆ３のいずれか１つの操作スイッチが右方向（他方向）にスライドタッチされると、一覧表の機能Ｂ中の対応する機能を指示するように、位置情報Ｋ２９、Ｋ３１、Ｋ３３のうちのいずれか１つを出力する。
【００９４】
なお、タッチパネル３２から出力される位置信号は、タッチパネル３２に設けられるタッチセンサが、例えばマトリックス状に配設されたものであれば、タッチ位置の行方向の番地と列方向の番地との組み合わせからなる、数ビットのデジタル信号である。
【００９５】
制御部５０は、ＣＰＵ（Central Processing Unit）、あるいはマイクロプロセッサにより構成される。制御部５０は、タッチパネル３２からの複数ビットの位置情報を入力端子Ｘより入力し、さらに図示しないシフトレジスタに一時的に格納するようになっている。
【００９６】
図１に示すように、制御部５０は、ＲＯＭ４１に格納されているプログラムを読み込むことにより、トグルスイッチ画像出力部５１と、表示態様選択画像出力部５２と、分析メニュー選択画像出力部５３と、処理パラメータ出力部５４と、分岐処理部５５と、分析メニュー選択画像消去部５６の、６つの機能ブロックを備える。
【００９７】
まず、制御部５０は、信号処理装置１が起動されることに基づいて、または所定のボタンをＯＮすることに基づいて、トグルスイッチ画像出力部５１を動作させる。この動作は、図９に示す制御部５０の動作フローのステップＳ０１に該当する。
【００９８】
トグルスイッチ画像出力部５１は、トグルスイッチ画像ａの表示のみを行うようになっている。トグルスイッチ画像出力部５１は、表示画像データテーブル４３中よりトグルスイッチ画像ａのデータを読み出して表示器３１に出力し、図２（ａ）〜（ｆ）に示すように、表示画面３１ａにトグルスイッチ画像ａを常時表示させる制御を行うようになっている。
【００９９】
トグルスイッチ画像出力部５１は、表示画面３１ａのグラフαよりも表面側のレイヤーを用いてトグルスイッチ画像ａを表示させる。なお、トグルスイッチ画像ａの表示位置は、グラフαや目盛などに重ならない所定の位置、例えば右上隅に半透明により表示されるようになっている。
【０１００】
制御部５０は、トグルスイッチ画像出力部５１がトグルスイッチ画像ａのデータを表示器３１に出力すると、トグルスイッチ画像出力部５１に替えて、表示態様選択画像出力部５２を動作させる。表示態様選択画像出力部５２の動作は、図９に示す制御部５０の動作フローのステップＳ０２、Ｓ０３に該当する。
【０１０１】
表示態様選択画像出力部５２は、位置情報Ｋ１が入力されたことを条件として、表示器３１に表示態様選択画像ｂを表示させるようになっている。位置情報Ｋ１は、表示画面３１ａに表示されたトグルスイッチ画像ａに対応し、操作者がタッチパネル３２をタッチすることに基づいて発生する。
【０１０２】
表示態様選択画像出力部５２は、タッチパネル３２からの位置情報が制御部５０の入力端子Ｘよりシフトレジスタに入力されることをウオッチングしており、位置情報が入力されると、その位置情報がＫ１であるか否かの照合を行う。
【０１０３】
表示態様選択画像出力部５２は、照合の結果、位置情報Ｋ１が入力されたことを条件として、表示画像データテーブル４３中より表示態様選択画像ｂのデータを選択して読み出し、該データを表示器３１に出力し、図２（ｂ）に示すように、表示態様選択画像ｂをグラフαよりも表面側のレイヤーに表示させるようになっている。なお、表示態様選択画像ｂの表示は、半透明であることが好ましい。
【０１０４】
制御部５０は、表示態様選択画像ｂのデータを表示器３１に出力すると、表示態様選択画像出力部５２に替えて、分析メニュー選択画像出力部５３を動作させる。分析メニュー選択画像出力部５３の動作は、図９に示す制御部５０の動作フローのステップＳ０４〜Ｓ０７に該当する。
【０１０５】
分析メニュー選択画像出力部５３は、位置情報Ｋ２〜Ｋ５のいずれか１つが入力されたことを条件として、表示画面３１ａに表示された表示態様選択画像ｂを消去してから、表示画面３１ａの、例えば表示態様選択画像ｂを消去した同一のレイヤーに分析メニュー選択画像ｃ、ｄ、ｅ、ｆのデータのうちの１つを表示させるようになっている。
【０１０６】
位置情報Ｋ２〜Ｋ５は、表示画面３１ａに表示された表示態様選択画像ｂ中の、分析メニュー選択項目を表示する第１〜第４の選択ボタンｂ１〜ｂ４のいずれか１つに対応し、操作者がタッチパネル３２をタッチすることに基づいて発生する。
【０１０７】
分析メニュー選択画像出力部５３は、位置情報Ｋ２〜Ｋ５のいずれか１つが、制御部５０の入力端子Ｘよりシフトレジスタに入力されることをウオッチングしており、位置情報が入力されると、その位置情報と表示態様選択画像ｂのどの分析メニュー選択画像とが対応するか、位置情報の照合を行うようになっている。
【０１０８】
分析メニュー選択画像出力部５３では、位置情報が表示態様選択画像ｂのどの分析メニュー選択画像と対応するかを照合により特定するようになっており、そして、特定した分析メニュー選択画像に対応した位置情報を更新記憶するようになっている。
【０１０９】
具体的には、分析メニュー選択画像出力部５３は、照合の結果、位置情報Ｋ２〜Ｋ５のいずれか１つであると、その位置情報をＲＡＭ４２に更新記憶し、表示態様選択画像ｂを消去する。位置情報のＲＡＭ４２への更新記憶は、後述する処理パラメータの出力先の決定に利用するためである。
【０１１０】
そして、分析メニュー選択画像出力部５３は、表示画像データテーブル４３から位置情報Ｋ２〜Ｋ５のいずれか１つに対応する分析メニュー選択画像ｃ、ｄ、ｅ、ｆのデータのうちの１つを読み出して表示器３１に出力し、かつ表示画面３１ａに表示されているグラフαよりも表面側のレイヤーに、該読み出した分析メニュー選択画像を表示させるようになっている。
【０１１１】
制御部５０は、分析メニュー選択画像ｃ、ｄ、ｅ、ｆのうちのいずれか１つを表示器３１に出力すると、分析メニュー選択画像出力部５３に替えて、処理パラメータ出力部５４を動作させる。処理パラメータ出力部５４の動作は、図９に示す制御部５０の動作フローのステップＳ０８〜Ｓ１０に該当する。
【０１１２】
処理パラメータ出力部５４は、タッチパネル３２から所定のスライドタッチに対応した位置情報が入力されたことを条件として、該位置情報に対応する処理パラメータをパラメータデータテーブル４４より読み出し、前記位置情報に含まれるスライドタッチの方向に対応した前記変更値を現行設定値に対してプラスするかまたはマイナスするように、処理パラメータ設定部２１中の対応する中心周波数設定部２２、周波数スパン設定部２３、振幅レベル設定部２５、または測定時間設定部２６に出力するようになっている。
【０１１３】
表示画面３１ａに表示された画像とタッチパネル３２との関連性については、図２及び図３を用いて既に説明したが、表示画面３１ａに分析メニュー選択画像ｃが表示されている場合には、第１〜第４の操作スイッチｃ１〜ｃ４のうちのいずれか１つに対し、左右方向にスライドタッチしたことに対応して位置情報Ｋ６〜Ｋ１３のうちのいずれか１つが発生する。また、分析メニュー選択画像ｄが表示されている場合には、第１〜第４の操作スイッチｄ１〜ｄ４のうちのいずれか１つに対し、左右方向にスライドタッチしたことに対応して位置情報Ｋ１４〜Ｋ２１のうちのいずれか１つが発生する。さらに、分析メニュー選択画像ｅが表示されている場合には、第１〜第３の操作スイッチｅ１〜ｅ３のうちのいずれか１つに対し、上下方向にスライドタッチしたことに対応して位置情報Ｋ２２〜Ｋ２７のうちのいずれか１つが発生する。さらにまた、分析メニュー選択画像ｆが表示されている場合には、第１〜第３の操作スイッチｆ１〜ｆ３のうちのいずれか１つに対し、左右方向にスライドタッチしたことに対応して位置情報Ｋ２８〜Ｋ３３のうちのいずれか１つが発生する。
【０１１４】
処理パラメータ出力部５４は、位置情報のいずれか１つが、制御部５０の入力端子Ｘよりシフトレジスタに入力されることをウオッチングしており、位置情報が入力されると、その位置情報がどのパラメータ設定項目の位置情報Ｋ６〜Ｋ１３、Ｋ１４〜Ｋ２１、Ｋ２２〜Ｋ２７、またはＫ２８〜Ｋ３３と対応しているか、位置情報の照合を行うようになっている。
【０１１５】
処理パラメータ出力部５４は、他の位置情報との間では、照合の結果、一致するものがないので、シフトレジスタに入力した位置情報を消去し、次の位置情報が入力するまでウオッチングする。
【０１１６】
処理パラメータ出力部５４は、照合の結果、位置情報が位置情報Ｋ６〜Ｋ１３、Ｋ１４〜Ｋ２１、Ｋ２２〜Ｋ２７、またはＫ２８〜Ｋ３３のいずれか１つと対応しているとき、その位置情報と対応する処理パラメータをパラメータデータテーブル４４から読み出して処理パラメータ設定部２１中の対応する１つの設定部２２、２３、２５、２６に出力するようになっている。
【０１１７】
この場合、処理パラメータの出力先の決定には、上述した分析メニュー選択画像出力部５３の動作において更新記憶した、分析メニュー選択画像に対応した位置情報が用いられる。
【０１１８】
なお、処理パラメータ出力部５４は、パラメータデータテーブル４４から読み出した処理パラメータを所要の設定部にそのまま出力してもよいが、スライドタッチのストロークを軽量して計数化した値と処理パラメータとの乗算値を出力するようにしてもよい。
【０１１９】
制御部５０は、処理パラメータ出力部５４が処理パラメータを出力すると、処理パラメータ出力部５４に替えて、分岐処理部５５を動作させる。分岐処理部５５の動作は、図９の制御部５０の動作フローのステップＳ１１に該当する。
【０１２０】
分岐処理部５５は、図２（ｃ）、（ｄ）、（ｅ）または（ｆ）に示す表示状態で、位置情報Ｋ１〜Ｋ３３のいずれか１つが入力されたことを条件として、処理パラメータ出力部５４への動作復帰または分析メニュー選択画像消去部５６への動作移行を判断する。
【０１２１】
詳述すると、分岐処理部５５は、位置情報Ｋ６〜Ｋ３３のいずれか１つが入力されたとき、すなわち、ステップＳ１２において、操作スイッチｃ１〜ｃ４、ｄ１〜ｄ４、ｅ１〜ｅ３、ｆ１〜ｆ３に対してスライドタッチが行われたときには、処理パラメータ出力部５４をステップＳ０９へ動作復帰させるようになっている。
【０１２２】
上記のように、図２（ｃ）、（ｄ）、（ｅ）または（ｆ）に示す表示状態で、操作者は、表示されている分析メニュー選択画像ｃ、ｄ、ｅ、またはｆ中の操作スイッチｃ１〜ｃ４、ｄ１〜ｄ４、ｅ１〜ｅ３、ｆ１〜ｆ３に対するスライドタッチを何度でも行うことができるから、処理パラメータ出力部５４と分岐処理部５５はエンドレスに反復動作する。このため、同一の分解能または異なる分解能の分析メニュー選択項目へのスライドタッチを何度も繰り返すことにより、同一の分解能または異なる分解能の処理パラメータをパラメータデータテーブル４４から次々に読み出して対応する処理パラメータ設定部２１の各設定部２２、２３、２５、２６に出力することができ、これによって、グラフαの中心周波数、周波数スパン、および振幅レベルに関する表示態様の変更とともに、測定時間の変更をも、グラフαと同一目線で集中的に制御できる。
【０１２３】
分岐処理部５５は、図２（ｃ）、（ｄ）、（ｅ）または（ｆ）に示す分析メニュー選択画像ｃ、ｄ、ｅまたはｆが表示された状態で、位置情報Ｋ１が入力されたとき、すなわち、トグルスイッチ画像ａに対してタッチ操作が行われたときには、分析メニュー選択画像消去部５６へ動作を移行させるようになっている。分析メニュー選択画像消去部５６の動作は、図９の制御部５０の動作フローのステップＳ１２に該当する。
【０１２４】
分析メニュー選択画像消去部５６は、表示器３１に表示されている分析メニュー選択画像ｃ、ｄ、ｅ、およびｆを消去する信号を表示器３１に出力するようになっている。これによって、表示画面３１ａには、処理パラメータに基づいて表示態様が変更されたグラフαだけを表示させることができる。
【０１２５】
次に、信号処理装置１全体の作用について、図１、図２、図３、図９を参照して説明する。
【０１２６】
信号処理装置１が起動されると、信号分析部１０は、被測定信号としての入力信号Ｓに対し、処理パラメータに基づいて測定可能な周波数範囲（周波数帯域）を設定し、所望の周波数スペクトラム波形となる信号処理を行い、表示器３１が信号分析部１０から出力されるグラフ表示信号を入力して表示画面３１ａに周波数スペクトラム波形のグラフαを表示する。この場合、中心周波数設定部２２と周波数スパン設定部２３と振幅レベル設定部２５は、それぞれ前回使用終了時に更新記憶されている処理パラメータに基づいて、中心周波数設定、周波数スパン設定、振幅レベル設定が行われているとともに、ＲＢＷ設定部２４は初期値に基づいてＲＢＷ設定が行われており、表示画面３１ａに、これらの設定を反映した周波数スペクトラム波形のグラフαが表示される。
【０１２７】
その際、測定時間設定部２６においては、前回使用終了時に更新記憶されている処理パラメータに基づいて、掃引時間の設定が行われており、局部発振部１２から発振されるローカル信号が制御される。
【０１２８】
また、信号処理装置１が起動されると、制御部５０は、ＲＯＭ４１からプログラムを読み込んで、トグルスイッチ画像出力部５１と、表示態様選択画像出力部５２と、分析メニュー選択画像出力部５３と、処理パラメータ出力部５４と、分岐処理部５５と、分析メニュー選択画像消去部５６の、６つの機能ブロックを設け、まずは、トグルスイッチ画像出力部５１を動作させる。
【０１２９】
トグルスイッチ画像出力部５１は、表示画像データテーブル４３中のトグルスイッチ画像ａのデータを読み出して表示器３１に出力し、図２（ａ）に示すように、表示画面３１ａにトグルスイッチ画像ａを常時表示させる（ステップＳ０１）。
【０１３０】
もしも、操作者がグラフαの表示態様を変更したい場合には、トグルスイッチ画像ａをタッチし、図２（ｂ）に示すように、表示画面３１ａに表示態様選択画像ｂを表示させる。さらに、第１〜第４の選択ボタンｂ１〜ｂ４のいずれか１つをタッチして、図２（ｃ）〜（ｆ）に示すように、分析メニュー選択画像ｃ、ｄ、ｅ、ｆのいずれか１つを表示画面３１ａに表示させる。そして、表示された１つの分析メニュー選択画像中の複数の選択スイッチ（ｃ１〜ｃ４、ｄ１〜ｄ４、ｅ１〜ｅ３、ｆ１〜ｆ３）のいずれか１つを、スライドタッチする。これによって、信号処理装置１は、スライドタッチに対応した中心周波数、周波数スパン、振幅レベル、測定時間のいずれか１つについて、同一または異なる分解能の処理パラメータを中心周波数設定部２２と周波数スパン設定部２３と振幅レベル設定部２５と測定時間設定部２６のうちの対応する設定部に出力して、処理パラメータの設定を更新する。このため、信号分析部１０は、被測定信号としての入力信号Ｓに対し、更新された処理パラメータに基づいて、所望の周波数スペクトラム波形となる信号処理を行い、表示器３１に表示されているグラフαが所望に変更される。
【０１３１】
以下では、図９に示すフローチャートを中心に制御部５０の動作について説明する。
【０１３２】
まず、制御部５０は、表示態様選択画像出力部５２を動作させる。表示態様選択画像出力部５２は、位置情報Ｋ１が入力されたか否かを判断し、この判断を位置情報Ｋ１が入力されるまで（ＹＥＳの判断になるまで）行う（ステップＳ０２）。位置情報Ｋ１が入力されると、引き続いて、表示画像データテーブル４３中の表示態様選択画像ｂのデータを選択して読み出し、該データを表示器３１に出力する。こうして、図２（ｂ）に示すように、表示態様選択画像ｂをグラフαよりも表面側のレイヤーに表示させる（ステップＳ０３）。
【０１３３】
次に、制御部５０は、分析メニュー選択画像出力部５３を動作させる。分析メニュー選択画像出力部５３は、位置情報Ｋ２〜Ｋ５のいずれか１つが入力されたか否かを判断し、この判断を位置情報Ｋ２〜Ｋ５が入力されるまで（ＹＥＳの判断になるまで）行う（ステップＳ０４）。位置情報Ｋ２〜Ｋ５のいずれか１つが入力されると、該入力した位置情報と表示態様選択画像ｂのどの分析メニュー選択画像とが対応するか、位置情報を照合する（ステップＳ０５）。そして、選択された分析メニュー選択画像に対応した位置情報を、更新記憶する（ステップＳ０６）。次いで、表示態様選択画像ｂを消去し、表示画像データテーブル４３から位置情報Ｋ２〜Ｋ５のいずれか１つに対応する分析メニュー選択画像ｃ、ｄ、ｅ、ｆのデータのうちの１つを読み出して、表示器３１に出力する。これにより、表示画面３１ａに表示されているグラフαよりも表面側のレイヤーに、選択された分析メニュー選択画像を表示させる（ステップＳ０７）。
【０１３４】
次に、制御部５０は、処理パラメータ出力部５４を動作させる。処理パラメータ出力部５４は、スライドタッチに基づく位置情報Ｋ６〜Ｋ３３のいずれか１つが入力されたか否かを判断し、この判断を位置情報が入力されるまで（ＹＥＳの判断になるまで）行う（ステップＳ０８）。位置情報が入力されると、該位置情報を解析し、位置情報がどの分析メニュー選択画像（ｃ、ｄ、ｅ、ｆ）のどの操作スイッチ（ｃ１〜ｃ４、ｄ１〜ｄ４、ｅ１〜ｅ３、ｆ１〜ｆ３）に対応しているかを判別する。また、スライドタッチが一方向または他方向へのスライドタッチであるかを判別する（ステップＳ０９）。次いで、特定された分析メニュー選択画像に対応したメニュー選択項目の処理パラメータをパラメータデータテーブル４４より読み出し、処理パラメータ設定部２１中の、位置情報に対応する設定部２２、２３、２５、または２６に出力する（ステップＳ１０）。
【０１３５】
次に、制御部５０は、分岐処理部５５を動作させる。分岐処理部５５は、図２（ｃ）、（ｄ）、（ｅ）または（ｆ）に示す表示状態で、位置情報Ｋ１、Ｋ６〜Ｋ３３のいずれか１つが入力されたか否かを判断し、この判断を位置情報Ｋ１が入力されるまで（ＹＥＳの判断になるまで）行う（ステップＳ１１）。位置情報が入力されると、さらに、位置情報Ｋ１が入力したか、または位置情報Ｋ６〜Ｋ３３のいずれか１つが入力されたかを判断する。位置情報Ｋ６〜Ｋ３３のいずれか１つが入力されたときには処理パラメータ出力部５４への動作復帰、および位置情報Ｋ１が入力されたときには分析メニュー選択画像消去部５６への動作移行を判断する（ステップＳ１２）。
【０１３６】
分岐処理部５５は、位置情報Ｋ６〜Ｋ３３のいずれか１つが入力されたと判断したときには（ステップＳ１２でＮＯの判断）、処理パラメータ出力部５４を動作させる。これにより、１つの分析メニュー選択画像（ｃ、ｄ、ｅ、ｆ）において、何度でも複数の操作スイッチ（ｃ１〜ｃ４、ｄ１〜ｄ４、ｅ１〜ｅ３、ｆ１〜ｆ３）を所望に選択してスライドタッチすることに応じて、同一または異なる分解能の処理パラメータを対応する設定部２２、２３、２５、２６へ繰り返し出力させることができる。その結果、表示器３１に表示されたグラフαの中心周波数、周波数スパン、振幅レベル、測定時間を、大きく変更することから微細に変更することまでを、グラフαの変化を観察しながら、同一の目線でスライドタッチを繰り返すだけで行うことができる。
【０１３７】
次に、制御部５０は、分岐処理部５５が位置情報Ｋ１の入力（トグルスイッチ画像ａがタッチされたこと）を判断したときには（ステップＳ１２でＹＥＳの判断）、分析メニュー選択画像消去部５６を動作させる。分析メニュー選択画像消去部５６は、表示器３１に表示されている分析メニュー選択画像を消去する信号を表示器３１に出力する（ステップＳ１３）。これにより、グラフαを分析メニュー選択画像に遮られずに表示させることが可能となる。
【０１３８】
処理パラメータの種類を変えてグラフαを変更したい場合には、具体的には、例えば図２（ｃ）に示す中心周波数を変更するグラフ変更可能な状態から、図２（ｄ）に示す周波数スパンを変更するグラフ変更可能な状態、または図２（ｅ）に示す振幅レベルを変更するグラフ変更可能な状態、さらには図２（ｆ）に示す測定時間を変更可能な状態に変更したい場合には、操作者は、トグルスイッチ画像ａをタッチして表示画面３１ａに表示されている分析メニュー選択画像ｃを消去し、さらにもう一度、トグルスイッチ画像ａをタッチして表示画面３１ａに表示態様選択画像ｂを表示させ、表示態様選択画像ｂ中の第２の選択ボタンｂ２、または第３の選択ボタンｂ３、もしくは第４の選択ボタンｂ４をタッチすることで、図２（ｄ）に示す第２の分析メニュー選択画像ｄ、または図２（ｅ）に示す第３の分析メニュー選択画像ｅ、もしくは図２（ｆ）に示す第４の分析メニュー選択画像ｆを表示させる。
【０１３９】
以上のように、本実施の形態の信号処理装置１は、次のような利点を有する。
（１）信号分析状況としてのグラフの表示を、利用者（操作者）が煩雑な操作を行わなくても、変更できる。
（２）利用者が測定可能な全周波数帯域の移動を指の簡単な操作（タップ（タッチ）操作やフリック（スライドタッチ）操作）で行うことができるので、信号分析装置の操作に精通していなくても、測定可能な全周波数帯域を移動させることができる。
（３）測定可能な全周波数帯域を一度に移動させる量（単位分解能）の指定と測定可能な全周波数帯域の移動の方向を一連の指の動きだけで設定できる。よって、操作が簡単である。
（４）利用者が表示器の表示を観ながら、信号分析状況の表示を変更できるので、他のスイッチやボタンやエンコーダの操作が不要となり、利用者の負担が少ない。
（５）測定可能な全周波数帯域を一度に移動させる量（単位分解能）を１Ｈｚ、１ＫＨｚ、１ＭＨｚ、１ＧＨｚから選択して設定できるので、大雑把な調整〜細かな調整が可能である。
（６）信号分析状況としてのグラフの表示を、利用者が煩雑な操作を行わなくても、変更できる。
（７）利用者が測定可能な全周波数帯域の幅を指の簡単な操作（ピンチイン操作やピンチアウト操作）で変換できるので、利用者が信号分析装置の操作に精通していなくても、測定可能な全周波数帯域の幅を変更できる。
（８）測定可能な全周波数帯域の幅を一度に変化させる量の指定と、測定可能な全周波数帯域の幅を広げるか狭めるかの指定とが利用者の一連の指の動きだけで設定される。よって、操作が簡単である。
（９）利用者が表示器の表示を観ながら、信号分析状況の表示を変更できるので、他のスイッチやボタンやエンコーダの操作が不要となり、利用者の負担が少ない。
（１０）測定可能な全周波数帯域の幅を一度に増減する量を１Ｈｚ、１ＫＨｚ、１ＭＨｚ、１ＧＨｚから選択して設定できるので、大雑把な調整〜細かな調整が可能である。
【０１４０】
なお、上記した第１の実施の形態においては、第１〜第４の分析メニュー選択画像ｃ〜ｆを選択するための表示態様選択画像ｂを設けた場合について説明したが、これに限らず、例えば表示態様選択画像ｂの表示を省略することもできる。
【０１４１】
以下に説明する第２の実施の形態は、表示態様選択画像ｂの表示を省略するように構成した場合の例である。
【０１４２】
〔第２の実施の形態〕
図１０を参照して、本発明の第２の実施の形態について説明する。なお、第２の実施の形態において、第１の実施の形態と同一部分には同一の符号を付し、相違する部分を中心に構成、作用および効果を説明する。
【０１４３】
図１０に示すように、この実施の形態における信号処理装置１Ａは、信号分析部１０と、表示器３１と、タッチパネル３２と、制御部５０Ａと、ＲＯＭ４１、ＲＡＭ４２、表示画像データテーブル４３Ａおよびパラメータデータテーブル４４を備えている。
【０１４４】
表示画像データテーブル４３Ａは、図１１の遷移図に示すように、トグルスイッチ画像ａと分析メニュー選択画像ｇの、２つの画像表示用のデータを記憶している。
【０１４５】
制御部５０Ａは、トグルスイッチ画像出力部５１と、分析メニュー選択画像出力部５３Ａと、処理パラメータ出力部５４と、分岐処理部５５と、分析メニュー選択画像消去部５６と、を備えている。この構成においては、第１の実施の形態の表示態様選択画像出力部５２を備えていない。
【０１４６】
制御部５０は、トグルスイッチ画像出力部５１がトグルスイッチ画像ａのデータを表示器３１に出力すると、トグルスイッチ画像出力部５１に替えて、分析メニュー選択画像出力部５３Ａを動作させる。分析メニュー選択画像出力部５３Ａの動作は、図１２に示す制御部５０Ａの動作フローのステップＳ２２〜Ｓ２６に該当する。
【０１４７】
分析メニュー選択画像出力部５３Ａは、位置情報Ｋ１が入力されたことを条件として、表示器３１に分析メニュー選択画像ｇを表示させるようになっている。
【０１４８】
分析メニュー選択画像出力部５３Ａは、タッチパネル３２からの位置情報Ｋ１が、制御部５０の入力端子Ｘよりシフトレジスタに入力されることをウオッチングしており、位置情報が入力すると、位置情報がＫ１であるか否かの照合を行う。分析メニュー選択画像出力部５３Ａは、照合の結果、位置情報Ｋ１が入力されたことを条件として、表示画像データテーブル４３Ａ中の分析メニュー選択画像ｇのデータを選択して読み出し、該データを表示器３１に出力し、図１１（ｂ）に示すように、分析メニュー選択画像ｇをグラフαよりも表面側のレイヤーに表示させるようになっている。
【０１４９】
信号処理装置１Ａは、図１１の遷移図に示すように、表示画面３１ａに、トグルスイッチ画像ａが常時表示され、トグルスイッチ画像ａをタッチすると、分析メニュー選択画像ｇが表示され、もう一度、トグルスイッチ画像ａをタッチすると、分析メニュー選択画像ｇが消去されるようになっている。
【０１５０】
分析メニュー選択画像ｇには、第１の実施の形態における図２の表示状態の遷移図に示す分析メニュー選択画像ｃ、ｄ、ｅ、ｆの操作スイッチｃ１〜ｃ４、ｄ１〜ｄ４、ｅ１〜ｅ３、ｆ１〜ｆ３を一纏めにして、表示画面３１ａに、これら操作スイッチが一括して表示されるようになっている。
【０１５１】
グラフαの表示態様に関し、中心周波数、周波数スパン、振幅レベル、測定時間のいずれかを変更するには、操作スイッチｃ１〜ｃ４、ｄ１〜ｄ４、ｅ１〜ｅ３、ｆ１〜ｆ３のうちの所望のいずれか１つをスライドタッチする。
【０１５２】
これにより、制御部５０Ａは、第１の実施の形態の制御部５０と同様に、パラメータデータテーブル４４に記憶されている複数の処理パラメータのうちの対応する１つの処理パラメータを読み出して、信号分析部１０の処理パラメータ設定部２１が備えている中心周波数設定部２２と周波数スパン設定部２３と振幅レベル設定部２５と測定時間設定部２６のうちの対応する１つの設定部に出力する。こうすることによって、グラフαの表示態様に関する中心周波数、周波数スパン、振幅レベル、測定時間のうちの、上記所望のスライドタッチに対応した１つを変更することができる。
【０１５３】
以下では、図１２に示した制御部５０Ａの動作フローについて簡単に説明する。
【０１５４】
まず、制御部５０Ａは、トグルスイッチ画像出力部５１を動作させ、表示画面３１ａに、トグルスイッチ画像ａを表示させる（ステップＳ２１）。制御部５０Ａは、分析メニュー選択画像出力部５３Ａを動作させる。分析メニュー選択画像出力部５３Ａは、位置情報Ｋ１が入力されたか否かを判断し、この判断をトグルスイッチ画像ａがタッチされて位置情報Ｋ１が入力されるまで（ＹＥＳの判断になるまで）行う（ステップＳ２２）。位置情報Ｋ１が入力されると、引き続いて、表示画像データテーブル４３Ａ中の分析メニュー選択画像ｇのデータを選択して読み出し、該データを表示器３１に出力し、図１１（ｂ）に示すように、分析メニュー選択画像ｇをグラフαよりも表面側のレイヤーに表示させる（ステップＳ２３）。
【０１５５】
次に、制御部５０Ａは、処理パラメータ出力部５４を動作させる。処理パラメータ出力部５４は、図３の一覧表に示すスライドタッチに基づく位置情報Ｋ６〜Ｋ３３のいずれか１つが入力されたか否かを判断し、この判断を位置情報が入力されるまで（ＹＥＳの判断になるまで）行う（ステップＳ２４）。位置情報が入力されると、該位置情報を解析し、位置情報が分析メニュー選択画像（ｃ、ｄ、ｅ、ｆ）のどの操作スイッチ（ｃ１〜ｃ４、ｄ１〜ｄ４、ｅ１〜ｅ３、ｆ１〜ｆ３）に対応しているかを判別する。また、スライドタッチが一方向または他方向へのスライドタッチであるかを判別する（ステップＳ２５）。次いで、特定された分析メニュー選択画像に対応したメニュー選択項目の処理パラメータをパラメータデータテーブル４４より読み出し、処理パラメータ設定部２１中の、位置情報に対応する設定部２２、２３，２５、または２６に出力する（ステップＳ２６）。
【０１５６】
次に、制御部５０Ａは、分岐処理部５５を動作させる。分岐処理部５５は、図１１（ｂ）に示す表示状態で、位置情報Ｋ１、Ｋ６〜Ｋ３３のいずれか１つが入力されたか否かを判断し、この判断を位置情報Ｋ１が入力されるまで（ＹＥＳの判断になるまで）行う（ステップＳ２７）。位置情報が入力されると、さらに、位置情報Ｋ１が入力されたか、または位置情報Ｋ６〜Ｋ３３のいずれか１つが入力されたかを判断する。位置情報Ｋ６〜Ｋ３３のいずれか１つが入力されたときには処理パラメータ出力部５４への動作復帰、および位置情報Ｋ１が入力されたときには分析メニュー選択画像消去部５６への動作移行を判断する（ステップＳ２８）。
【０１５７】
分岐処理部５５は、位置情報Ｋ６〜Ｋ３３のいずれか１つが入力されたと判断したときには（ステップＳ２８でＮＯの判断）、処理パラメータ出力部５４を動作させる。これにより、１つの分析メニュー選択画像（ｃ、ｄ、ｅ、ｆ）において、何度でも複数の操作スイッチ（ｃ１〜ｃ４、ｄ１〜ｄ４、ｅ１〜ｅ３、ｆ１〜ｆ３）を所望に選択してスライドタッチすることに応じて、同一または異なる分解能の処理パラメータを対応する設定部２２、２３、２５、２６へ繰り返し出力させることができる。その結果、表示器３１に表示されたグラフαの中心周波数、周波数スパン、振幅レベル、測定時間を、大きく変更することから微細に変更することまでを、グラフαの変化を観察しながら、同一の目線でスライドタッチを繰り返すだけで行うことができる。
【０１５８】
次に、制御部５０は、分岐処理部５５が位置情報Ｋ１の入力（トグルスイッチ画像ａがタッチされたこと）を判断したときには（ステップＳ２８でＹＥＳの判断）、分析メニュー選択画像消去部５６を動作させる。分析メニュー選択画像消去部５６は、表示器３１に表示されている分析メニュー選択画像を消去する信号を表示器３１に出力する（ステップＳ２９）。これにより、グラフαを分析メニュー選択画像に遮られずに表示させることが可能となる。
【０１５９】
〔その他の実施の形態〕
本発明は、上記の実施の形態に限定されるものでなく、特許請求の範囲の技術的範囲には、発明の要旨を逸脱しない範囲内で種々、設計変更した形態が含まれる。
【０１６０】
例えば、上記実施の形態では、中心周波数と、周波数スパンと、振幅レベルと、測定時間とに関する処理パラメータを設定するようにしているが、さらに、ＲＢＷに関する処理パラメータについても設定するようにしてもよい。さらにまた、掃引信号発生部２０の掃引速度やＡＴＴ１１の減衰率に関する処理パラメータについても設定するようにしてもよい。
【０１６１】
上記した第１および第２の実施の形態においては、トグルスイッチ画像ａなどを目視できるように表示させるようにしたが、これに限らず、例えば操作者がタッチパネル３２のいずれかにタッチしたことを条件として表示を行う構成としてもよい。
【０１６２】
上記した第１および第２の実施の形態においては、制御部５０、５０Ａは、パラメータデータテーブル４４から、中心周波数と、周波数スパンと、振幅レベルと、測定時間とに関する処理パラメータの１つを読み出して、処理パラメータ設定部に出力するように構成しているが、これに限らず、複数のスライドタッチに基づいて複数の処理パラメータを読み出して、処理パラメータ設定部に同時に出力するように構成してもよい。
【０１６３】
また、トグルスイッチ画像ａなどの表示の状態（輝度など）を段階的に切り換えられる構成とし、例えば、完全な形で表示する状態、枠線のみを表示する状態など、信号処理装置を使用する操作者の熟練度などに応じて切り換えられるようにすることも可能である。
【０１６４】
また、トグルスイッチ画像ａなどの位置を把握している操作者における使用環境下では、表示器３１の表示画面３１ａ上の表示を行わないようにしてもよい。または、操作者がタッチパネル３２をタッチすることに応じて、所定の時間内だけ、表示させるようにしてもよい。
【０１６５】
また、分析メニュー選択画像としては、中心周波数の設定、周波数スパンの変更、振幅レベルの変更、または、測定時間の変更に限らず、例えば、周波数帯域の始めの周波数を押えながら終りの周波数を変更させたり、逆に、周波数帯域の終りの周波数を押さえながら始めの周波数を変更させたりするためのものであってもよい。
【０１６６】
また、信号処理装置１、１Ａにおいては、制御部５０、５０Ａに、ＡＴＴ１１の減衰量を設定する機能や、局部発振部１２の発振周波数を設定する機能などを備えるものであってもよい。また、ＡＴＴ１１の減衰量や局部発振部１２の発振周波数を設定するための操作部を設け、この操作部を用いて操作者が設定した処理パラメータと、パラメータデータテーブル４４の処理パラメータとを、分析メニュー選択画像を用いて切り換える構成としてもよい。
【０１６７】
本発明の信号処理装置および信号処理方法は、周波数分解能の設定のための操作を表示画面上に一元的に集約することができ、表示されるグラフを見る目線で指先タッチにより同一または異なる分解能への変更およびそれによるグラフの表示態様の変更操作を迅速に繰り返して行うことができるという効果を有し、スペクトラムアナライザなどの信号処理装置および信号処理方法の全般に有用である。
【符号の説明】
【０１６８】
１、１Ａ  信号処理装置
１０  信号分析部（信号処理手段）
２２  中心周波数設定部（処理パラメータ設定部）
２３  周波数スパン設定部（処理パラメータ設定部）
２５  振幅レベル設定部（処理パラメータ設定部）
２６  測定時間設定部（処理パラメータ設定部）
３１  表示器（表示手段）
３１ａ  表示画面
３２  タッチパネル
４３、４３Ａ  表示画像データテーブル
４４  パラメータデータテーブル
５０、５０Ａ  制御部（制御手段）
５１  トグルスイッチ画像出力部
５２  表示態様選択画像出力部
５３、５３Ａ  分析メニュー選択画像出力部
５４  処理パラメータ出力部
５５  分岐処理部
５６  分析メニュー選択画像消去部
Ｓ  入力信号
α  グラフ
ａ  トグルスイッチ画像
ｂ  表示態様選択画像
ｃ、ｄ、ｅ、ｆ、ｇ  分析メニュー選択画像
Ｋ１〜Ｋ３３  位置情報
Ｓ０２、Ｓ２２  タッチ操作特定ステップ
Ｓ１０、Ｓ２６  パラメータ出力ステップ
Ｓ１１、Ｓ１２、Ｓ２７、Ｓ２８  分岐ステップ
Ｓ１３、Ｓ２９  分析メニュー選択画像消去ステップ
【図１】
0005855610.tif 000002
【図２】
0005855610.tif 000003
【図３】
0005855610.tif 000004
【図４】
0005855610.tif 000005
【図５】
0005855610.tif 000006
【図６】
0005855610.tif 000007
【図７】
0005855610.tif 000008
【図８】
0005855610.tif 000009
【図９】
0005855610.tif 000010
【図１０】
0005855610.tif 000011
【図１１】
0005855610.tif 000012
【図１２】
0005855610.tif 000013